(57)【要約】【課題】使用するチェーンの種類、大きさを問わず、その径を容易に調節可能としたチェーン状装身具用アジャスター及びそれを用いたチェーン状装身具を提供すること。【解決手段】アジャスターは、アジャスター本体（２）と、該アジャスター本体（２）を貫通した調節用チェーン（３）と、前記アジャスター本体（２）の内部で前記調節用チェーン（３）に摺動抵抗を加えるための係止手段（６）と、前記調節用チェーン（３）の基端に備えた、調節用チェーン（３）をチェーン状装身具のチェーン（８）に装着するための装着部（４）と、を具備し、チェーン状装身具は、前記アジャスター（１）にチェーン（８）の一端を連結するとともに、前記チェーン（８）の他端に前記アジャスター（１）における装着部（４）を装着して構成される。【選択図】図１
2007029667.tif 000002
【特許請求の範囲】
【請求項１】
チェーン状装身具に用いるアジャスター（１、１１、２１）であって、
アジャスター本体（２、１２、２２）と、
該アジャスター本体（２、１２、２２）を貫通した調節用チェーン（３）と、
前記アジャスター本体（２、１２、２２）の内部で前記調節用チェーン（３）に摺動抵抗を加えるための係止手段（６、１６、２６）と、
前記調節用チェーン（３）の基端に備えた、調節用チェーン（３）をチェーン状装身具のチェーン（８）に装着するための装着部（４）と、を具備したことを特徴とするチェーン状装身具に用いるアジャスター。
【請求項２】
前記係止手段（６）は、アジャスター本体（２）内に配設された、コイル状のバネ材の両端を連結することで、前記調節用チェーン（３）が貫通するチェーン貫通孔（６０１）が形成された略リング状物とし、前記係止手段（６）の内周側によって、チェーン貫通孔（６０１）を貫通した調節用チェーン（３）を付勢可能としたことを特徴とする請求項１に記載のチェーン状装身具に用いるアジャスター。
【請求項３】
前記係止手段（１６）は、前記アジャスター本体（１２）内に配設された、前記調節用チェーン（３）が貫通したコイル状物であるとともに、長手方向に向いた中央部分の径を調節用チェーン（３）の外周径よりも小さくして押圧部（１７）を形成し、該押圧部（１７）によって調節用チェーン（３）を付勢可能にしたことを特徴とする請求項１に記載のチェーン状装身具に用いるアジャスター。
【請求項４】
前記係止手段（２６）は、前記アジャスター本体（２２）を変形させることにより形成した、アジャスター本体（２２）を貫通した調節用チェーン（３）が摺動するとともにその摺動に際して調節用チェーン（３）に対して摺動抵抗を加えることが可能な抵抗部（２６）であることを特徴とする請求項１に記載のチェーン状装身具に用いるアジャスター。
【請求項５】
前記アジャスター本体（２２）を略く字状に変形させたことを特徴とする請求項４に記載のチェーン状装身具に用いるアジャスター。
【請求項６】
前記アジャスター本体（２２）を略コ字状に変形させたことを特徴とする請求項４に記載のチェーン状装身具に用いるアジャスター。
【請求項７】
前記アジャスター本体（２２）を１又は複数個の円弧部分を有する変形させたことを特徴とする請求項４に記載のチェーン状装身具に用いるアジャスター。
【請求項８】
チェーン径を自在に調整可能としたチェーン状装身具であって、
前記請求項１乃至請求項７のいずれかに記載のアジャスター（１、１２、２１）にチェーン（８）の一端を連結するとともに、前記チェーン（８）の他端に前記アジャスター（１、１２、２１）における装着部（４）を装着したことを特徴とするチェーン状装身具。
【発明の詳細な説明】
【技術分野】
【０００１】
本発明は、ネックレス、ブレスレット等のチェーン状装身具に用いるアジャスター及びそれを用いたチェーン状装身具に係り、より詳しくは、チェーンの種類、大きさを問わず、チェーン径を容易に調節可能としたチェーン状装身具に用いるアジャスター及びそれを用いたチェーン状装身具に関する。
【背景技術】
【０００２】
一般的に、ネックレス、ブレスレット等のチェーン状装身具では、これを構成するチェーンは無端状となっており、その長さを調節することは不可能とされているが、近年、使い勝手等の利便性を目的として、アジャスターを用いてチェーンの長さを自在に調節可能としたものが提供されてきている。
【０００３】
そして、チェーン径を調節する方法としては、アジャスター内にシリコンゴム等の弾性体を挿入するとともに、この弾性体にチェーンの直径よりも僅かに小径の貫通孔を形成し、この貫通孔にチェーンを挿通することで、弾性体の弾性力を利用してチェーンを任意の位置で係止可能とし、これによりチェーンの動きを拘束可能にしたものや、チェーンが貫通する一対の貫通孔を有するケーシング内に、バネ板を円筒状に湾曲させた筒状の弾性体を内蔵し、これにより、ケーシングを貫通したチェーンを弾性部材の付勢力によって挟圧可能にして、これによってチェーンの動きを拘束するものが提案されている。
【特許文献１】特開２００１−７００１８号公報
【特許文献２】登録実用新案第３０６３８９１号公報
【発明の開示】
【発明が解決しようとする課題】
【０００４】
ところで、ネックレス等に使用されるチェーンには多種多様のものがあり、これらのチェーンの中には、前述したような、摺動抵抗を加えることにより動きを拘束する方法には馴染まないものが存在する。
【０００５】
例えば、チェーンの中には、ひねりを加えたスクリューと呼ばれるものがあるが、この類のチェーンでは、移動に際して摺動抵抗を加えるとひねりが元に戻ってしまいチェーンとしての価値が半減してしまうとともに、ひねりが元に戻ることによりその外径が変化してしまい、弾性体等による付勢が充分に効かなくなってしまう場合がある。
【０００６】
また、チェーンの中には通称オメガと呼ばれる扁平な形状のものも存在しており、このチェーンではその外径が均一でないが、このような扁平なチェーンでは、これがアジャスター内で回転してしまった場合には、やはり、弾性体等による付勢が充分に効かなくなってしまう場合がある。
【０００７】
更に、チェーンの中にはロープチェーンと呼ばれるものがあり、このロープチェーンは強く引くと切れやすいため、移動に摺動抵抗を加えるアジャスターを用いた場合には、径の調節の際に切れてしまうおそれも考えられる。
【０００８】
更にまた、チェーンの中には、複数の異なる形状のコマを連結したものも存在するが、このような形態のチェーンでは、その径が不均一なために、一つの摺動手段でその全体に摺動抵抗を加えることが不可能である。
【０００９】
このように、ネックレス等に使用されているチェーンには、前述したような、チェーンの移動に摺動抵抗を加えてその移動に制限を加えるアジャスターには馴染まないものが存在しており、このようなチェーンの場合には、例えばチェーンを構成するコマの数を調節することにより径を変更することは可能だが、この方法では手間がかかり煩わしさに耐えない、という問題点がある。
【００１０】
また、チェーンの径は様々であり一様ではなく、前述したようなアジャスターに馴染むチェーンの場合でも、チェーン径ごとにそれに対応したアジャスターを備えなければならないために、特に少量生産品用のアジャスターでは製造コストが上がってしまうという問題点が指摘できる。
【００１１】
更に、前述したアジャスターに馴染むチェーンの場合でも、チェーン径が大きい場合には、アジャスターもまた大きくなってしまい、アジャスターが邪魔になってしまうという問題点も考えられる。
【００１２】
そこで、本発明は、使用するチェーンの種類、大きさを問わず、その径を容易に調節可能としたチェーン状装身具用アジャスター及びそれを用いたチェーン状装身具を提供することを課題としている。
【課題を解決するための手段】
【００１３】
本発明のチェーン状装身具に用いるアジャスターは、チェーン状装身具に用いるアジャスターであって、アジャスター本体と、該アジャスター本体を貫通した調節用チェーンと、前記アジャスター本体の内部で前記調節用チェーンに摺動抵抗を加えるための係止手段と、前記調節用チェーンの基端に備えた、調節用チェーンをチェーン状装身具のチェーンに装着するための装着部と、を具備したことを特徴としている。
【００１４】
また、このアジャスターを用いた本発明のチェーン状装身具は、チェーン径を自在に調整可能としたチェーン状装身具であって、前記アジャスターにチェーンの一端を連結するとともに、前記チェーンの他端に前記アジャスターにおける装着部を装着して構成されることを特徴としている。
【発明の効果】
【００１５】
本発明のアジャスターでは、アジャスター本体を調節用チェーンで貫通させるとともに、アジャスター本体内には、アジャスター本体を貫通した調節用チェーンに摺動抵抗を加えてその動きを拘束するための係止手段を備えており、更に、調節用チェーンの基端には、調節用チェーンをチェーン状装身具のチェーンに装着するための装着部とを具備している。
【００１６】
そのため、調節用チェーンをチェーン状装身具のチェーンに装着することにより、チェーンの種類、大きさに影響されず、チェーン状装身具のチェーン径を自在に調節することが可能となる。
【００１７】
また、このアジャスターを用いた本発明のチェーン状装身具では、装身具のチェーンに、前記アジャスターにおける調節用チェーンの基端を装着しているために、移動に対して摺動抵抗を加える方式に馴染まないチェーンの場合でも、そのチェーン径を自在に調節することが可能である。
【発明を実施するための最良の形態】
【００１８】
本発明のチェーン状装身具に用いるアジャスターは、調節用チェーンが貫通したアジャスター本体を有しており、このアジャスター本体の内部には、調節用チェーンに摺動抵抗を加えて、調節用チェーンの動きを拘束するための係止手段を有している。また、前記調節用チェーンは、先端部には、調節用チェーンがアジャスター本体から抜け落ちてしまうことを防止するための抜け防止手段が備えられており、基端部は、調節用チェーンをチェーン状装身具のチェーンに装着するための装着部が備えられている。
【００１９】
ここで、前記係止手段は、アジャスター本体内に配設された、コイル状のバネ材の両端を連結することで調節用チェーンが貫通するチェーン貫通孔が形成された略リング状物にし、その内周側によって、チェーン貫通孔を貫通した調節用チェーンを付勢して調節用チェーンの動きを拘束可能にするとよい。
【００２０】
また、前記係止手段は、アジャスター本体内に配設された、調節用チェーンが貫通したコイル状物にするとともに、長手方向に向いた中央部分の径を調節用チェーンの外周径よりも小さくして押圧部を形成し、押圧部によって調節用チェーンを付勢して調節用チェーンの動きを拘束可能にしてもよい。
【００２１】
更に、前記係止手段は、アジャスター本体を変形させることにより形成した、アジャスター本体を貫通した調節用チェーンが摺動するとともにその摺動に際して調節用チェーンに対して摺動抵抗を加えることが可能な抵抗部としてもよく、この場合において、アジャスター本体の形状としては、略く字状、略コ字状、あるいは、アジャスター本体を、１又は複数個の円弧部分を有する形状にするとよい。
【００２２】
そして、このようなアジャスターを用いた本発明のチェーン状装身具は、チェーン径を自在に調整可能としたチェーン状装身具であって、前記アジャスターにチェーンの一端を連結するとともに、前記チェーンの他端に前記アジャスターにおける装着部を装着して構成されている。
【実施例１】
【００２３】
本発明のチェーン状装身具に用いるアジャスター（以下単に「アジャスター」という。）の実施例について図面を参照して説明すると、図１は本実施例のアジャスターの一部端面図であり、縦断正面を示している。
【００２４】
そして、図において１が本実施例のアジャスターであり、本実施例において前記アジャスター１は、球状かつ中空のアジャスター本体２を有しており、このアジャスター本体２における互いに対向する箇所には貫通孔２０１が形成されている。また、前記アジャスター３の外側面には、アジャスター本体２にチェーンを連結するための連結部２０２が形成されている。なお、連結部２０２の形成箇所は特に限定されず、アジャスター本体２の外側面であればいずれの箇所に形成してもよい。
【００２５】
次に、図において３は調節用チェーンであり、即ち、本実施例においては、前記貫通孔２０１を介して、調節用チェーン３がアジャスター本体２を貫通している。そして、調節用チェーン３の先端側には、前記貫通孔２０１よりも大きい径とした球状物５を装着しており、この球状物５を、調節用チェーン３の抜け防止手段としている。
【００２６】
次に、図において４は装着部である。即ち、本実施例のアジャスター１では、前記調節用チェーン３の基端側に装着部４を連設しており、この装着部４を、ネックレス等のチェーン状装身具におけるチェーン（以下「ネックレスチェーン」という。）の先端部に装着可能としている。そして、本実施例において装着部４としては、チェーンの先端部が挿入可能な挿入部４０１を有した形態とし、この挿入部４０１内にネックレスチェーンの先端部を挿入した後に、ネックレスチェーンの先端部と装着部とを蝋付け、あるいはビス止め等することで、ネックレスチェーンの先端にアジャスター１を装着可能にしている。この装着部４にネックレスチェーンを装着した状態を示す図が図２であり、図２においては、調節用チェーン３よりも径の大きいロープチェーンにより構成されるネックレスチェーン８の先端部に装着部４を装着した状態を示している。なお、装着部４の構造は特に限定されず、これをネックレスチェーンに装着可能であればいずれの構造としてもよい。
【００２７】
次に、本実施例のアジャスター２では、前記アジャスター本体２内に、調節用チェーン３の動きに拘束を加えるための係止手段が配設されている。即ち、図において６が係止手段であり、本実施例においてこの係止手段６は、図４に示すような、ステンレス製のコイル状のバネ材の両端を連結することで形成され、内周側にチェーン貫通孔６０１が形成された略リング状とされている。
【００２８】
そして、本実施例においては、この係止手段６を、前記アジャスター本体２内において、チェーン貫通孔６０１を調節用チェーン３が貫通可能な配置で配設しており、更に、バネ材の長さ等を調節して、チェーン貫通孔６０１を調節チェーン３が貫通した際に、係止手段６の内周側によって調節用チェーン３を付勢可能としている。そのため、この係止手段６によって、調節用チェーン３に対して、その長手方向への移動に摺動抵抗を加えることを可能としている。この状態を示した断面図が図３であり、図３は、調節用チェーン３の長手方向に見た状態における係止手段６と調節用チェーン３の関係を示した断面図としている。なお、前記係止手段６の素材は特に限定されず、ステンレス以外の金属でもよく、また、金属以外の素材、例えば、炭素繊維性、合成樹脂等、バネとして機能可能な素材であればいずれの素材を用いてもよい。
【００２９】
次に、このように構成される本実施例のアジャスター１の作用について説明すると、本実施例のアジャスターを用いる場合には、ネックレスチェーン８の先端部に前記装着部４を装着し、それとともに、ネックレスチェーン８の基端部を、前記連結具２０２を介してアジャスター本体２に連結する。そして、この状態で、アジャスター本体２を、例えば指等でつかみ、アジャスター本体２を境にして、調節用チェーン３を、抜け防止手段５側、あるいは反抜け防止手段側に引っ張る。そうすると、調節用チェーン３は、係止手段６の内周側と摺動しつつその長手方向へ移動し、それにより、アジャスター本体２とネックレスチェーン８間の距離が変更され、ネックレスチェーン８の径を調整することが可能となる。
【００３０】
そして、調節用チェーン３に加えていた力を解除すると、調節用チェーン３に対する係止手段６の内周側による付勢力が作用して調節用チェーン３の位置が固定され、これによりネックレスチェーン８を所望の径で維持することが可能となる。
【００３１】
このように、本実施例のアジャスター１では、アジャスター本体２にネックレスチェーンの基端部を連結可能にするとともに、アジャスター本体２を貫通した調節用チェーン３における装着部４をネックレスチェーン８の先端部に装着可能としており、更に、アジャスター本体２内に備えた係止手段６により、アジャスター本体２を貫通する調節用チェーン３の長手方向への動きに摺動抵抗を加えることを可能にしているため、このアジャスター１を用いることにより、チェーンに摺動抵抗を加えることによりチェーンの移動を拘束する方法としたアジャスターに馴染まないネックレスチェーンを用いたネックレス等の場合でも、その径を容易に調節可能である。
【００３２】
そして、このように構成されるアジャスター１を用いたネックレス７を示す図が図５であり、このネックレス７は、調節用チェーン３よりも径の大きいロープチェーン８を用いている。そして、図５に示すネックレスでは、アジャスター本体２の外面に形成した連結部２０２に引輪８０２が連結され、更に、この引輪８０２は、ネックレスチェーン８の基端部に備えた留具８０１に連結され、更にまた、ネックレスチェーン８の先端部には前記アジャスター１の装着部４が装着されており、これにより、チェーン８は無端とされている。
【００３３】
なお、本実施例のネックレス７では、ネックレスチェーン８における任意の箇所に、３個のダイヤモンドを備えたペンダント９が係止されているが、このペンダント９は必ずしも必要なものではなく、ダイヤモンドを備える場合でも、その数、形状等は特に限定されない。
【００３４】
このように、本実施例のネックレス７では、チェーン８の基端部を前述したアジャスター１のアジャスター本体２に連結し、チェーン８の先端部に前記アジャスター１における装着部４を装着しているために、前述したアジャスター１の作用により、チェーンの種類、径を問わず、チェーン径を容易に調節することが可能である。
【００３５】
なお、本実施例のアジャスターでは、アジャスター本体を貫通した調節用チェーンの基端に、調節用チェーンをネックレスチェーンの先端部に装着可能な装着部を備え、更に、アジャスター内部に、前記調節用チェーン３に摺動抵抗を加えるための係止手段を備えた点を特徴としており、係止手段の構造等は特に限定されず、アジャスター本体２を貫通した調節用チェーンに摺動抵抗を加えることが可能であれば、いずれの係止手段を採用してもよい。
【００３６】
例えば、図６は係止手段として前記方法とは異なる方法を採用したアジャスター１１を説明するための一部端面図であり、図６に示すアジャスター１１では、長手方向に向いた中央部分を内径側に向けて湾曲させ、更に、両端部分の径を小さくした変形の筒状としたアジャスター本体１２を有しており、このアジャスター本体１２内には、金属、炭素繊維、合成樹脂等により成るコイル状の係止手段１６を、調節用チェーン３が係止手段１６を貫通する配置で配設している。そして、前記係止手段１６は、図７に示すように、その内径を調節用チェーン３の外径よりも大きく設定するとともに、その長手方向に向いた中央部分の径を調節用チェーン３の外径よりも小さく設定してこの部分を押圧部１７とし、この押圧部１７によって、係止手段１６を貫通した調節用チェーン３を付勢して、調節用チェーン３の移動を拘束している。
【００３７】
また、図８は、係止手段として更に他の方法を採用したアジャスター２１を説明するための一部端面図であり、図８に示すアジャスター２１では、金属、他の繊維、合成樹脂等によりなる円筒状の素材を略く字状に湾曲させてアジャスター本体２を構成しており、これにより、アジャスター本体２の内部において、長手方向に向いた中央部分近傍の内壁に凸部分を形成している。そして、この凸部分を係止手段２６とし、この係止手段２６により、アジャスター本体２２を貫通した調節用チェーン３に摺動抵抗を加えてその移動を拘束可能としている。
【００３８】
即ち、図８に示すアジャスター２１では、前記アジャスター本体２２を調節用チェーン３が貫通すると、調節用チェーン３は、アジャスター本体２２内において、アジャスター本体２２の内壁の形状に沿ってアジャスター本体２２と同様に略く字状に変形する。
【００３９】
そうすると、この状態において、調節用チェーン３をその長手方向のいずれか一方側へ引っ張ると、調節用チェーン３は、アジャスター本体２２の内部において、係止手段２６の部分、即ち図８におけるＰ１部分と摺動するとともに摺動抵抗が加えられ、更に、アジャスター本体２２の両端部内壁における、前記係止手段２６の突出方向と同方向の部分（図におけるＰ２部分）とも摺動し、その摺動抵抗により、調節用チェーン３の移動に制限が加えられる。従って、図８に示すアジャスター２２を用いることによっても、ネックレスチェーンの径を容易に調節することが可能となる。
【００４０】
なお、図８に示すように、アジャスター本体２を、内部に係止手段２６が形成されるように変形する場合においては、必ずしもアジャスター本体２２を略く字状に変形させる必要はなく、その他、略コ字状にしてもよく、あるいは、内部に円弧を有するような略半円状にしてもよく、更には、内部に複数の円弧を有するような略Ｓ字状にしてもよい。
【００４１】
また、この他、係止手段としては、前述のような、アジャスター本体内にシリコンゴム等の弾性体を挿入してチェーンの動きを拘束可能にしたものや、バネ板を円筒状に湾曲させた筒状の弾性体を用いて係止手段としたもの、あるいは、アジャスター本体内に樹脂製のＯリング等を挿入してチェーンの動きを拘束可能としたもの、アジャスター本体内に合成樹脂、シリコンゴム等を充填するとともにこれらの合成樹脂等を調節用チェーンで貫通可能にしたもの等、アジャスター本体を貫通した調節用チェーンに摺動抵抗を加えることが可能であれば、いずれの係止手段を採用してもよい。
【産業上の利用可能性】
【００４２】
本発明によれば、チェーンの種類、大きさを問わずにその径を容易に調節可能であるために、ネックレスに限らず、ブレスレット等、チェーンを用いたチェーン状装身具の全般に適用可能である。
【図面の簡単な説明】
【００４３】
【図１】本発明のアジャスターの実施例一部端面図である。
【図２】本発明のアジャスターの実施例における装着部をネックレスチェーンの先端部に装着した状態を示す図である。
【図３】本発明のアジャスターの実施例における係止手段を説明するための図である。
【図４】本発明のアジャスターの実施例における係止手段を説明するための図である。
【図５】本発明のネックレスの実施例を示す正面図である。
【図６】本発明のアジャスターの他の実施例を説明するための一部端面図である。
【図７】本発明のアジャスターの他の実施例に用いる係止手段を説明するための斜視図である。
【図８】本発明のアジャスターの他の実施例を説明するための一部端面図である。
【符号の説明】
【００４４】
１、１１、２１    アジャスター
２、１２，２２    アジャスター本体
３    調節用チェーン
４    装着部
５    抜け防止手段
６、１６、２６    係止手段
７    ネックレス
８    ネックレスチェーン
８０１    止め具
８０２    引輪
９    ペンダント
【図１】
2007029667.tif 000003
【図２】
2007029667.tif 000004
【図３】
2007029667.tif 000005
【図４】
2007029667.tif 000006
【図５】
2007029667.tif 000007
【図６】
2007029667.tif 000008
【図７】
2007029667.tif 000009
【図８】
2007029667.tif 000010